(57)【特許請求の範囲】
【請求項１】
制御装置と、
外部電源線が接続される接続部を有する電源部と、
前記電源部から前記制御装置へ電力を伝える第一配線と、
ポンプ、弁、センサ、及び熱交換器のうちの少なくとも一つを有する機器ユニットと、
前記制御装置と前記機器ユニットとの間をつなぐ第二配線と、
前記制御装置、前記電源部、前記第一配線、前記機器ユニット、及び前記第二配線を収納する外装体と、
を備え、
前記第二配線の長さが前記第一配線の長さより短い給湯機。
【請求項２】
前記制御装置は、前記機器ユニットの位置より高い位置にある請求項１に記載の給湯機。
【請求項３】
ポンプ、弁、センサ、及び熱交換器のうちの少なくとも一つを有する第二機器ユニットと、
前記制御装置と前記第二機器ユニットとの間をつなぐ第三配線と、
を備え、
前記第二配線の長さと前記第三配線の長さとの合計が、前記第一配線の長さより短い請求項１または請求項２に記載の給湯機。
【請求項４】
前記電源部は、前記給湯機の外部に設置されるリモコンと通信するための外部配線が接続可能なリモコン接続端子を備え、
前記リモコン接続端子と前記制御装置との間をつなぐ中継配線を備える請求項１から請求項３のいずれか一項に記載の給湯機。
【請求項５】
前記電源部は、前記外装体の上端より前記外装体の下端に近い位置にあり、
前記外装体は、前記外部電源線を前記外装体の内部に引き込むための引込部を備える請求項１から請求項４のいずれか一項に記載の給湯機。
【請求項６】
前記外装体は、前記電源部が少なくとも部分的に前記外装体の外部から見えるようにする開口部を備える請求項１から請求項５のいずれか一項に記載の給湯機。
【請求項７】
前記第二配線の本数が前記第一配線の本数より多い請求項１から請求項６のいずれか一項に記載の給湯機。
【請求項８】
前記外装体に収納される貯湯タンクを備え、
前記機器ユニットは、前記貯湯タンクの外部にある請求項１から請求項７のいずれか一項に記載の給湯機。
【発明の詳細な説明】
【技術分野】
【０００１】
本発明は、給湯機に関する。
【背景技術】
【０００２】
給湯温度を調節する混合弁などの機器ユニットと、機器ユニットを制御する制御装置とを備えた給湯機が広く用いられている。
【先行技術文献】
【特許文献】
【０００３】
【特許文献１】特開２００７−２８５６０５号公報
【特許文献２】特開２００８−５１４４９号公報
【特許文献３】特開２００５−１２７６５３号公報
【発明の概要】
【発明が解決しようとする課題】
【０００４】
従来の給湯機では、制御装置と各々の機器ユニットとの間をつなぐ多数の配線の総延長が長く、製造コストの増加をもたらすという課題がある。
【０００５】
本発明は、上述のような課題を解決するためになされたもので、配線の総延長を短縮することのできる給湯機を提供することを目的とする。
【課題を解決するための手段】
【０００６】
本発明に係る給湯機は、制御装置と、外部電源線が接続される接続部を有する電源部と、電源部から制御装置へ電力を伝える第一配線と、ポンプ、弁、センサ、及び熱交換器のうちの少なくとも一つを有する機器ユニットと、制御装置と機器ユニットとの間をつなぐ第二配線と、制御装置、電源部、第一配線、機器ユニット、及び第二配線を収納する外装体と、を備え、第二配線の長さが第一配線の長さより短いものである。
【発明の効果】
【０００７】
本発明の給湯機によれば、配線の総延長を短縮することが可能となる。
【図面の簡単な説明】
【０００８】
【図１】実施の形態１の給湯機を示す模式的な正面図である。
【図２】実施の形態１の給湯機の外観を示す正面図である。
【図３】実施の形態１の給湯機が備える外装体の開口部及びその近くを拡大した斜視図である。
【図４】実施の形態２の給湯機を示す模式的な正面図である。
【発明を実施するための形態】
【０００９】
以下、図面を参照して実施の形態について説明する。各図において共通する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１の給湯機１を示す模式的な正面図である。図２は、実施の形態１の給湯機１の外観を示す正面図である。図１及び図２に示すように、実施の形態１の給湯機１は、外装体２及び複数の脚３を備える。外装体２は、給湯機１が備える後述の機器を収納して保護する筐体である。
【００１１】
図１に示すように、給湯機１は、外装体２の内部に配置された貯湯タンク４、制御装置５、電源部６、第一配線７、機器ユニット８、第二配線９、第二機器ユニット１０、及び第三配線１１を備える。外装体２及び貯湯タンク４は、複数の脚３を介して、土台または床面に固定される。図１は、外装体２の正面の壁を透視した透視図である。貯湯タンク４は、断熱材（図示省略）により覆われている。
【００１２】
貯湯タンク４は、湯水を貯留する。貯湯タンク４の水を加熱する加熱装置（図示省略）は、いかなる構成のものでもよい。加熱装置は、外装体２の外部に設置されてもよいし、外装体２の内部に設置されてもよい。加熱装置は、例えば、ヒートポンプ式加熱装置でもよいし、貯湯タンク４内に設置される電気ヒータでもよい。
【００１３】
制御装置５は、給湯機１の動作を制御する。制御装置５は、制御基板５ａを備える。制御装置５は、防水機能を有する構造であってもよい。電源部６は、電源端子台６ａ及び漏電遮断器６ｂを備える。電源端子台６ａには、外部電源線９０が接続される。外部電源からの電力が、外部電源線９０を通って給湯機１に供給される。外部電源線９０から供給される電力は、例えば、２００ボルトの単相交流でもよい。漏電遮断器６ｂは、漏電時に電路を遮断する。
【００１４】
制御装置５は、電源部６から離れた位置にある。すなわち、制御装置５は、電源部６に隣接していない。本実施の形態では、電源部６は、外装体２の上端２ａよりも外装体２の下端２ｂに近い位置にある。これにより、電源端子台６ａに外部電源線９０を接続する作業が容易になる。電源端子台６ａは、外部電源線９０が接続される接続部の例である。
【００１５】
第一配線７は、電源部６の漏電遮断器６ｂと、制御装置５との間をつなぐケーブルである。第一配線７は、電源部６から制御装置５へ電力を伝える。
【００１６】
機器ユニット８は、ポンプ、弁、センサ、及び熱交換器のうちの少なくとも一つを備える。機器ユニット８は、貯湯タンク４の外部にある。第二配線９は、制御装置５と機器ユニット８との間をつなぐケーブルである。機器ユニット８が備えるポンプまたは弁を制御装置５が駆動または制御する信号が第二配線９により伝達されてもよい。機器ユニット８が備える流量センサあるいは温度センサのようなセンサにより検出される信号が第二配線９により制御装置５へ伝達されてもよい。
【００１７】
制御装置５及び機器ユニット８は、電源部６の位置より高い位置にある。制御装置５の位置は、機器ユニット８の位置と同じくらいの高さにある。鉛直方向に関する制御装置５の位置と、鉛直方向に関する機器ユニット８の位置とは、重なりを有する。
【００１８】
第二機器ユニット１０は、ポンプ、弁、センサ、及び熱交換器のうちの少なくとも一つを備える。第二機器ユニット１０は、貯湯タンク４の外部にある。第三配線１１は、制御装置５と第二機器ユニット１０との間をつなぐケーブルである。第二機器ユニット１０が備えるポンプまたは弁を制御装置５が駆動または制御する信号が第三配線１１により伝達されてもよい。第二機器ユニット１０が備える流量センサあるいは温度センサのようなセンサにより検出される信号が第三配線１１により制御装置５へ伝達されてもよい。
【００１９】
出湯管１２は、貯湯タンク４の上部と機器ユニット８との間をつなぐ。機器ユニット８には、給湯管１３が接続されている。風呂給湯管１４は、機器ユニット８と第二機器ユニット１０との間をつなぐ。第二機器ユニット１０には、風呂給湯管１５が接続されている。
【００２０】
機器ユニット８は、貯湯タンク４から出湯管１２を通って供給される高温水に給水管（図示省略）から供給される低温水を混合することで給湯温度を調節する混合弁を備えてもよい。機器ユニット８にて温度調節された湯は、給湯管１３を通って、外部の給湯端末へ供給されてもよい。給湯端末は、例えば、シャワー、台所または洗面所の蛇口などでもよい。機器ユニット８にて温度調節された湯は、風呂給湯管１４、第二機器ユニット１０、及び風呂給湯管１５を経由して、外部の浴槽へ供給されてもよい。第二機器ユニット１０は、浴槽から導かれた浴槽水を加熱する追い焚き熱交換器を備えてもよい。
【００２１】
本実施の形態では、第一配線７の本数は、１本である。第二配線９の本数は、３本である。第一配線７の本数は、複数本でもよい。第二配線９の各々の長さは、第一配線７の長さより短い。第一配線７が複数本ある場合には、第二配線９の各々の長さは、最も短い第一配線７よりも短いことが望ましい。
【００２２】
本実施の形態では、制御装置５が電源部６から分離していることで、制御装置５を設置する位置の自由度が高い。例えば、制御装置５と機器ユニット８との空間的な距離が、制御装置５と電源部６との空間的な距離より近くなるような位置に制御装置５を設置することもできる。
【００２３】
本実施の形態では、第二配線９の長さが第一配線７の長さより短いことで、以下のような効果が得られる。本実施の形態のように、第二配線９の本数は、第一配線７の本数より多くなる場合が多い。本数の多い第二配線９の長さを短くできるので、給湯機１が備える配線の総延長を短縮できる。その結果、製造コストを低減できる。
【００２４】
これに対し、制御装置５が電源部６に一体化または隣接していると仮定すると、以下のようになる。第一配線７の長さは短くなるが、本数の多い第二配線９は、より長い長さが必要になる。このため、給湯機１が備える配線の総延長が長くなり、製造コストが増加しやすい。また、第二配線９が長いと、組立上の都合などから、第二配線９を途中の位置で着脱可能にする中継コネクタが必要になる場合もある。その場合には、製造コストがさらに増加する。
【００２５】
給湯機１は、機器ユニット８及び第二機器ユニット１０以外の機器ユニットをさらに備えてもよい。
【００２６】
リモコン１６は、給湯機１の外部に設置される。リモコン１６は、例えば、台所または浴室に設置されてもよい。リモコン１６は、ユーザーが操作する操作部、給湯機１に関する情報を表示する表示部などを備えてもよい。リモコン１６は、外部配線１７を介して、給湯機１に対して有線通信可能に接続される。
【００２７】
本実施の形態における電源部６は、リモコン接続端子６ｃを備える。リモコン１６と通信するための外部配線１７は、リモコン接続端子６ｃに接続される。中継配線１８は、制御装置５とリモコン接続端子６ｃとの間をつなぐ。外部配線１７、リモコン接続端子６ｃ及び中継配線１８を介して、リモコン１６と制御装置５とが通信可能となる。
【００２８】
本実施の形態であれば、電源部６がリモコン接続端子６ｃを備えたことで、リモコン１６と通信するための外部配線１７を給湯機１に接続する作業が容易になる。第二配線９の長さが中継配線１８の長さより短くてもよい。そのようにすることで、給湯機１が備える配線の総延長をさらに短縮できる。
【００２９】
本実施の形態における電源部６は、外部加熱装置用端子台６ｄを備える。外部給電線９１が外部加熱装置用端子台６ｄに接続される。外部給電線９１は、例えばヒートポンプ式加熱装置のような外部加熱装置（図示省略）と、給湯機１との間をつなぐ。給湯機１から外部給電線９１により外部加熱装置へ電力を供給する。外部給電線９１は、通信線を兼ねてもよい。中継配線１９は、制御装置５と外部加熱装置用端子台６ｄとの間をつなぐ。第二配線９の長さが中継配線１９の長さより短くてもよい。そのようにすることで、給湯機１が備える配線の総延長をさらに短縮できる。
【００３０】
図２に示すように、外装体２は、開口部２ｃを有する。開口部２ｃは、電源部６が少なくとも部分的に外装体２の外部から見えるようにする。図３は、実施の形態１の給湯機１が備える外装体２の開口部２ｃ及びその近くを拡大した斜視図である。図３に示すように、外装体２の開口部２ｃから、電源部６の電源端子台６ａ及び外部加熱装置用端子台６ｄなどが見える。このため、電源接続工事のときに、外装体２の正面のパネルを取り外すことなく、開口部２ｃから手を入れて作業できる。外装体２の開口部２ｃは、図示しない蓋体をネジ等を用いて装着することで閉じることができる。
【００３１】
図３に示すように、外装体２が備える蹴込み２ｄには、引込部２ｅが形成されている。開口部２ｃは、引込部２ｅに近い位置にある。外部電源線９０及び外部給電線９１は、引込部２ｅの開口を通って、外装体２の内部に引き込まれ、電源部６に接続される。このような構成によれば、外装体２の正面のパネルを取り外す必要がなく、優れた施工性が得られる。
【００３２】
実施の形態２．
次に、図４を参照して、実施の形態２について説明するが、上述した実施の形態１との相違点を中心に説明し、同一部分または相当部分については説明を簡略化または省略する。図４は、実施の形態２の給湯機１Ａを示す模式的な正面図である。
【００３３】
図４に示す本実施の形態２の給湯機１Ａが備える制御装置５は、機器ユニット８の位置より高い位置にある。鉛直方向に関する制御装置５の位置と、鉛直方向に関する機器ユニット８の位置とは、重なりを有しない。このようにすることで、以下の効果が得られる。万一、機器ユニット８からの水漏れ、または機器ユニット８と配管との接続部などからの水漏れが発生した場合であっても、漏れた水が、制御装置５に降りかかったり、第二配線９を伝って制御装置５に流入したりすることを確実に抑制できる。そのため、制御装置５が防水機能を有しない場合でも、制御装置５を確実に保護できる。
【００３４】
本実施の形態２では、制御装置５と第二機器ユニット１０との間をつなぐ第三配線１１の長さが、第一配線７の長さより短いことが望ましい。第三配線１１の長さが、第一配線７の長さより短い場合には、実施の形態１に比べて、給湯機１が備える配線の総延長をさらに短縮でき、製造コストをさらに低減できる。
【００３５】
本実施の形態２では、１本当たりの第二配線９の長さと１本当たりの第三配線１１の長さとの合計が、１本当たりの第一配線７の長さより短いことが望ましい。１本当たりの第二配線９の長さと１本当たりの第三配線１１の長さとの合計が、１本当たりの第一配線７の長さより短い場合には、実施の形態１に比べて、給湯機１が備える配線の総延長をさらに短縮でき、製造コストをさらに低減できる。
【符号の説明】
【００３６】
１，１Ａ  給湯機、  ２  外装体、  ２ａ  上端、  ２ｂ  下端、  ２ｃ  開口部、  ２ｄ  蹴込み、  ２ｅ  引込部、  ３  脚、  ４  貯湯タンク、  ５  制御装置、  ５ａ  制御基板、  ６  電源部、  ６ａ  電源端子台、  ６ｂ  漏電遮断器、  ６ｃ  リモコン接続端子、  ６ｄ  外部加熱装置用端子台、  ７  第一配線、  ８  機器ユニット、  ９  第二配線、  １０  第二機器ユニット、  １１  第三配線、  １２  出湯管、  １３  給湯管、  １４，１５  風呂給湯管、  １６  リモコン、  １７  外部配線、  １８，１９  中継配線、  ９０  外部電源線、  ９１  外部給電線
【図１】
0006508110.tif 000002
【図２】
0006508110.tif 000003
【図３】
0006508110.tif 000004
【図４】
0006508110.tif 000005